(57)【要約】【課題】  デジタルカメラとカムコーダの機能を有する改善された映像撮影装置を提供する。【解決手段】  本発明に係る映像撮影装置はカムコーダの機能を有する第１映像撮影装置ユニットとデジタルカメラの機能を有する第２映像撮影装置ユニットの一部が本体の前面に突出するよう前記本体の内部に設けられ、前記本体の上面または側面部に固定またはポップアップフラッシュが構成される。【選択図】      図３
2005260951.tif 000002
【特許請求の範囲】
【請求項１】
外観を形成し、映像を記録/再生するための記録媒体を備えた本体と、
該本体に設けられ動画を撮影できる第１映像撮影装置ユニットと、
前記本体に設けられ静止映像または動画を撮影できる第２映像撮影装置ユニットと、
光を提供するためのフラッシュとを含むことを特徴とする映像撮影装置。
【請求項２】
前記フラッシュは、前記第１映像撮影装置ユニットまたは前記第２映像撮影装置ユニットにより遮光を避けられるよう前記本体の上面の前端部に設けられることを特徴とする請求項１に記載の映像撮影装置。
【請求項３】
前記第１映像撮影装置ユニットは前記本体の前面に突設され、前記動画が入射される第１映像撮影装置レンズ部を含むことを特徴とする請求項１に記載の映像撮影装置。
【請求項４】
前記第２映像撮影装置ユニットは、前記本体の前面に前記第１映像撮影装置レンズ部と上下に並んで突設され、前記動画と前記静止映像が入射される第２映像撮影装置レンズ部を含むことを特徴とする請求項３に記載の映像撮影装置。
【請求項５】
前記フラッシュはポップアップ機能を有することを特徴とする請求項１に記載の映像撮影装置。
【請求項６】
前記フラッシュは、前記第１映像撮影装置ユニットによる遮光を避けられるよう前記本体の側面に備えられることを特徴とする請求項１に記載の映像撮影装置。
【請求項７】
外観を形成し映像を記録/再生するための記録媒体を備えた本体と、
該本体に設けられ動画を撮影できる第１映像撮影装置ユニットと、
前記本体に設けられ静止映像または動画を撮影できる第２映像撮影装置ユニットと、
前記第１映像撮影装置ユニットまたは前記第２映像撮影装置ユニットによって遮光を避けられるよう前記本体の側面に設けられるフラッシュとを含むことを含むことを特徴とする映像撮影装置。
【請求項８】
前記フラッシュはポップアップ機能を有することを特徴とする請求項７に記載の映像撮影装置。
【発明の詳細な説明】
【技術分野】
【０００１】
本発明は動画及び静止映像を含む映像を撮影して貯蔵及び再生可能であり所定位置にフラッシュが装着してある映像撮影装置に関する。
【背景技術】
【０００２】
一般に、デジタルカメラはレンズを通して入射される映像をディジタル信号に変換してハードディスクまたはメモリカードのような記録媒体に保存する。このようなデジタルカメラはＰＣと互換性が高くて編集及び修正が簡便である。しかし、このようなデジタルスチルカメラは映像を記録する記録媒体の容量などの理由から主に静止画像を撮影するのに使用する。一部動画を撮影できる機能を持っているが、長時間撮影が実質的に不可能である。この点を満たすため、テープのような記録媒体に撮影される被写体の画像及び音響などを記録及び再生する記録/再生装置、例えばカムコーダが幅広く普及されている。
【０００３】
このようなカムコーダは主に磁気テープを記録媒体として採用し、この磁気テープをデッキ装置に装着し、撮影された動画を記録する。このようなカムコーダは１時間以上の動画を撮影することが可能である。静止画像を撮影する機能を持っているが、前述したデジタルカメラの画質に比べて劣化するので、主に動画を撮影するのに使われる。ところが、今までは前述したように、デジタルカメラとカムコーダそれぞれの機能を活用するためには二種の製品を購入すべきである。従って、消費者にとって経済的な負担が多大であった。また、製品購入後にもそれぞれの特徴的な機能があるので、二つの製品を携帯すべき場合煩わしい問題点がある。
【発明の開示】
【発明が解決しようとする課題】
【０００４】
本発明は前述したような問題点を解決するために案出されたもので、その目的はデジタルカメラとカムコーダの機能を有する改善された映像撮影装置を提供するところにある。
【課題を解決するための手段】
【０００５】
前述した目的を達成するための本発明に係る映像撮影装置は、外観を形成し映像を記録/再生するための記録媒体を具備した本体と、該本体に設けられ動画を撮影できる第１映像撮影装置ユニットと、前記本体に設けられ静止映像または動画を撮影できる第２映像撮影装置ユニットと、前記第１映像撮影装置ユニットまたは前記第２映像撮影装置ユニットによって遮光を避けられるよう前記本体の上面の前端部に設けられ静止映像を撮影する際使われるフラッシュを含む。
【０００６】
ここで、前記第１映像撮影装置ユニットは前記本体の前面に突出するよう構成され、前記映像が入射される第１映像撮影装置レンズ部をさらに含み、前記第２映像撮影装置ユニットは前記本体の前面に前記第１映像撮影装置レンズ部と上下に並んで突出するよう構成され、映像が入射される第２映像撮影装置レンズ部をさらに含むことが良い。
【０００７】
また、前記フラッシュはポップアップ機能を有することが良い。
【０００８】
そして、前記第１映像撮影装置ユニットによる遮光を避けられるよう前記本体の側面に装着されるフラッシュをさらに含むことが好ましい。
【０００９】
そして、前述した目的を達成するための本発明に係る他の映像撮影装置は外観を形成し映像を記録/再生するための記録媒体を具備した本体と該本体に設けられ動画を撮影できる第１映像撮影装置ユニットと、前記本体に設けられ静止映像または動画を撮影できる第２映像撮影装置ユニットと、前記第１映像撮影装置ユニットまたは前記第２映像撮影装置ユニットにより遮光を避けられるよう前記本体の側面に設けられ静止映像を撮影する際使われるフラッシュとを含む。
【００１０】
ここで、前記フラッシュはポップアップの機能を有するのが良い。
【発明の効果】
【００１１】
以上述べたように、本発明に係る映像撮影装置は第１映像撮影装置ユニットと第２映像撮影装置ユニットが全て本体の前面部に構成されユーザが映像撮影装置を把持する姿勢を変更しなくても選択的にデジタルカメラの機能とカムコーダの機能を活用できる。また、フラッシュが映像撮影装置本体の上面前端部に設けられ第１映像撮影装置による遮光を最小化できる。また、フラッシュを本体の側面に設けることによって、第１映像撮影装置による遮光を避けられる。
【発明を実施するための最良の形態】
【００１２】
以下、添付した図面に基づき本発明の好ましい実施形態による映像撮影装置を詳述する。
【実施例１】
【００１３】
図１を参照し本発明の一実施形態に係る映像撮影装置は本体１０、第１映像撮影装置ユニット２０、第１映像撮影装置レンズ部２５、第２映像撮影装置ユニット３０、第２映像撮影装置レンズ部３５、それから固定フラッシュ１００を備える。
【００１４】
本体１０は映像撮影装置の外観を形成し、その内部には映像を再生または記録できるよう貯蔵媒体(図示せず)が設けられる。この本体１０はプラスチックや金属材質よりなることが一般的である。
【００１５】
第１映像撮影装置ユニット２０は主に動画を撮影する機能を果たし、一例としてはカムコーダがある。第１映像撮影装置ユニット２０の一部は本体１０の前端面に突出されており、残り部分は本体１０の内部に含まれる。また、この第１映像撮影装置ユニット２０は本体１０の前面の上端部に構成されることが好ましい。
【００１６】
第１映像撮影装置レンズ部２５は動画が撮影される箇所であって、第１映像撮影装置ユニット２０の前端部に構成され、本体１０の外部に突出され露出される。
【００１７】
第２映像撮影装置ユニット３０は本体１０に設けられ主に静止映像を撮影する機能を果たす。例えば、デジタルカメラのようなものがある。この第２映像撮影装置ユニット３０の一部は本体１０の外部に突出され露出され、残り部分は本体１０の内部に設けられる。また、この第２映像撮影装置ユニット３０は本体１０の前面下端部に構成される。
【００１８】
第２映像撮影装置レンズ部３５は第２映像撮影装置ユニット３０の前端部に構成され、本体１０の外部に形成される。
【００１９】
固定フラッシュ１００は本体１０の上面に構成される。また、第２映像撮影装置ユニット３０で静止映像を撮影する際使用されるため、第２映像撮影装置ユニット３０と被写体の角度を考慮して本体１０の上面の前端部に構成されることが好ましい。
【００２０】
以下、本発明に係る映像撮影装置の作用について説明する。
【００２１】
第１映像撮影装置ユニット２０は第１映像撮影装置レンズ部２５と、信号変換装置(図示せず)と、撮影された映像を記録/再生するデッキ装置(図示せず)などを備える。第２映像撮影装置ユニット２０の第１映像撮影装置レンズ部２５から撮影された映像は前記信号変換装置(図示せず)で磁気データに変換され前記デッキ装置(図示せず)を通して磁気テープ(図示せず)などに貯蔵される。また前記磁気テープに保存されたデータは前記デッキ装置(図示せず)を通して再生される。第１映像撮影装置ユニット２０に対する構成及び作動原理は既に公知の技術であるところ、詳細な説明は省く。
【００２２】
第２映像撮影装置ユニット３０は第２映像撮影装置レンズ部３５と、メモリ装置(図示せず)と、信号変調装置(図示せず)などを備える。第２映像撮影装置レンズ部３５から撮影された静止映像は前記信号変換装置(図示せず)でディジタル信号に変換されハードディスク(図示せず)やフラッシュメモリ(図示せず)のような前記メモリ装置(図示せず)に貯蔵される。第２映像撮影装置ユニット３０に対する構成及び作動原理は既に公知の技術であるところ、詳細な説明は省く。
【００２３】
本発明に係る映像撮影装置はデジタルカメラの機能とカムコーダの機能を持っているので、ユーザは動画を撮影する時カムコーダの機能を選択して動画を撮影することができる。また、良い画質の静止映像を撮影しようとする時はデジタルカメラ機能を選択することによって静止映像を撮影できるようになる。すなわち、ユーザがカムコーダとデジタルカメラの機能のある一つの製品を購買することによって経済的な負担が軽減される。
【００２４】
また、本発明の一実施形態に係る映像撮影装置の第１映像撮影装置ユニット２０と第２映像撮影装置ユニット３０は本体１０の前面部に並んで構成されることによってユーザは同一な姿勢を維持したままカムコーダとデジタルカメラを選択ボタン(図示せず)だけ押すことによって選択的に使用できるという長所がある。
【００２５】
第２映像撮影装置ユニット３０が本体１０の前面の下端部に設けられる場合被写体の角度とフラッシュ１００、２００、３００の角度のマッチングが大事である。特に、第１映像撮影装置レンズ部２０が本体１０の前面の上端部に突出されていてフラッシュ１００、２００、３００からの放出される遮光現象が発生するようになる。従って、フラッシュ１００、２００、３００の機能を果たすためには第１映像撮影装置レンズ部２５による遮光現象を避けられるよう本体１０の前面に突出程度を考慮して固定フラッシュ１００の本体１０の上端部上の位置が決められる。
【実施例２】
【００２６】
図２に示した本発明の他の実施形態による映像撮影装置は固定フラッシュ１００の代りにポップアップフラッシュ２００を備える。第１映像撮影装置ユニット２０による遮光を避けるため、このポップアップフラッシュ２００は固定フラッシュ１００と同様な位置に構成されることが好ましい。すなわち、ポップアップフラッシュ２００がポップアップされた状態で固定フラッシュ１００と同一な角度で光が放出されることが良い。ポップアップフラッシュ２００及び後述するポップアップフラッシュ３００の構成及び作動原理などは既に公知の技術であるところ、詳細な説明は省く。
【００２７】
本発明の他の実施形態によれば、図２に示したように固定フラッシュ１００の代りにポップアップフラッシュ２００を設けるようになる。ポップアップフラッシュ２００の位置はポップアップフラッシュ２００がポップアップされた時第１映像撮影装置レンズ部２５による遮光現象を避けられるよう固定フラッシュ１００の位置と同様に本体１０の上面の前端部に設けられる。
【実施例３】
【００２８】
図３を参照するに、本発明のさらに他の実施形態による映像撮影装置のポップアップフラッシュ３００は本体の側面に構成される。ポップアップフラッシュ３００は固定フラッシュにも代替できることは当然である。
【００２９】
ポップアップフラッシュ３００が前記本体の側面の所定位置に設けられる。ポップアップフラッシュ３００が前記本体の側面に設けられる場合、第１映像撮影装置ユニット２０による遮光を避けられるという長所がある。また、ポップアップフラッシュ３００は固定フラッシュに代替使用できることは当然である。
【００３０】
以上、本発明を本発明の原理を例示するための好ましい実施形態について示しかつ説明したが、本発明はそのように示しかつ説明されたままの構成及び作用に限定されることではなく。かえって特許請求の範囲の思想及び範疇を逸脱せず本発明に対する多数の変更及び修正が可能であることを当業者らはよく理解できよう。従って、そのような全ての適切な変更及び修正と均等物も本発明の範囲に属することと見做されるべきである。
【産業上の利用可能性】
【００３１】
本発明は動画及び静止映像を含む映像を撮影して貯蔵及び再生可能な全ての映像撮影装置に適用できる。
【図面の簡単な説明】
【００３２】
【図１】本発明に係る固定フラッシュユニットが装着された映像撮影装置の概略的な斜視図である。
【図２】本発明に係る本体の上面にポップアップフラッシュが装着された映像撮影装置の概略的な斜視図である。
【図３】本発明に係る本体の側面にポップアップフラッシュユニットが装着された映像撮影装置の概略的な斜視図である。
【符号の説明】
【００３３】
１０  本体
２０  第１映像撮影装置ユニット
２５  第１映像撮影装置レンズ部
３０  第２映像撮影装置ユニット
３５  第２映像撮影装置レンズ部
１００  固定フラッシュ
２００、３００  ポップアップフラッシュ
【図１】
2005260951.tif 000003
【図２】
2005260951.tif 000004
【図３】
2005260951.tif 000005